(57)【要約】【課題】棺桶の燃焼時に金属物質の残存を抑制する金具類及び金釘無し棺を提供する。【解決手段】  縦長の底板と、前記底板の右方長辺に固定された右方側板と、前記底板の左方長辺に固定された左方側板と、前記底板の前方短辺に固定された前方側板と、前記底板の後方短辺に固定された後方側板とから構成される木製箱体と、前記木製箱体に被せる木製蓋板と底板下部の補強材とからなり、前記木製箱体における各側板の長手方向に穴部を設けて、底板と接合できるようにするとともに、各側板と底板と補助板とはそれぞれ接合には可燃性接合具を使用されている燃焼にやさしい棺桶である。【選択図】図１
0003216943.tif 000002
【実用新案登録請求の範囲】
【請求項１】
縦長の底板と、前記底板の右方長辺に固定された右方長側板と、前記底板の左方長辺に固定された左方長側板と、前記底板の前方短辺に固定された前方短側板と、前記底板の後方短辺に固定された後方短側板とから構成される木製箱体と、前記木製箱体に被せる木製蓋板と底板下部の補強材とからなり、前記木製箱体における各側板の長手方向に穴部を設けて、底板と接合できるようにするとともに、各側板と底板と補助板とはそれぞれ接合には可燃性接合具を使用されていることを特徴とする燃焼にやさしい棺桶。
【請求項２】
前記底板と、右方長側板と、左方長側板と、前方短側板と、後方短側板と、補強材との材料は、桐材、ファルカタ材、檜材、ヒバ材、フラッシュ構造材で選ばれた厚さ１５〜２５ｍｍの板材であって、各部品の接合には、各部品の小口面に切りこみ、並びに側板部、底部に溝を設けて、組み立て接合を行い、各部品の小口の周辺の各面に数個の穴部を設けて木製ダボ、竹釘によって固定されて、底板には２〜４箇所に補強板で構成される木製箱体になっていることを特徴とする請求項１に記載の燃焼にやさしい棺桶。
【請求項３】
前記蓋板は、木製箱体に嵌め込み型であって、桐材、ファルカタ材、檜材、ヒバ材、フラッシュ構造材で選ばれた厚さ１０〜２０ｍｍの板材であって、前記木製箱体の棺桶の内部を視認できるように、蓋板の片方一部に正方形、又は長方形形状の可燃性材料からなる開閉口での窓部、あるいは開閉扉部を設けていることを特徴とする請求項１に記載の燃焼にやさしい棺桶。
【請求項４】
前記木製箱体は、幅４００〜７００ｍｍ、長さ１５００〜２０００ｍｍ、高さ３００〜５００ｍｍの長方体であって、構成される右方長側板と左方長側板には、両横端の３〜５箇所に、長手方向一方の端の３〜５箇所に５〜９ｍｍの穴を掘り、前方短側板と、後方短側板と、補強材、底板の小口面に５〜９ｍｍの穴をあけ、接合面に木製ダボ、竹釘を嵌めこんで固定していることを特徴とする請求項１、又は請求項２に記載の燃焼にやさしい棺桶。
【考案の詳細な説明】
【技術分野】
【０００１】  本考案は、棺桶の燃焼時に金属物質の残存を抑制する金具類及び金釘無し棺を提供する。燃焼によって金属製残渣物が残らない燃焼にやさしい棺桶に関する。
【背景技術】
【０００２】  従来から、火葬用の棺は、可燃性の複数の板材を組み立てることにより製造されている。このような火葬用の棺に関する技術として、例えば、特許文献１には、金釘及び金具類を用いず、組立てを容易に短時間で行うことができる棺桶が開示されている。【０００３】縦長の底板と、前記底板の右方長辺に固定された右方側板と、前記底板の左方長辺に固定された左方側板と、前記底板の前方短辺に固定された前方側板と、そして前記底板の後方短辺に固定された後方側板と、からなる棺において、前記各側板の上方部分は、それぞれに前記各側板の残りの下方部分に対しその外方へ二つ折り可能に連結されている棺を提供する（特許文献２参照）。【０００４】棺の長手方向の側面を構成する２枚の第１側板２、棺の短手方向の側面を構成する２枚の第２側板、底板及び蓋板を備える。可燃性素材で形成された第１側板及び第２側板を可燃性の留め具を用いて互いに接合して壁面が構成され、全ての構成要素が可燃性素材より形成されている。第１側板の紙面向かって上端部付近（蓋板が配置される側）において、長手方向の一端から他端に向かって水平方向へ、留め具（例えば、三角ダボ、木釘、竹釘など）が打ち込まれる第４打ち込み孔が複数形成されていることが提案されている（特許文献３参照）。【０００５】段ボール棺は、強化段ボールの展開シートをＶ溝に沿って折り曲げてなる箱体を備えている。箱体の開口部には展開シートの端部を折り返してなる枠板が設けられる。箱体の折り返し端部は、縫着機を用いて縫い付けられる縫合糸により固定される。縫合糸は、枠板の一方の端部から他方の端部まで一定の高さ位置で直線上に連なるようにすることが提案されている（特許文献４参照）。【０００６】燃焼によって金属製残渣物が残らない燃焼にやさしい棺桶で、桶の強度を持たせて、簡単に組み立てられるものは少ない。
【先行技術文献】
【特許文献】
【０００７】
【特許文献１】特開２００２−２８２３１１号公報
【特許文献２】特開２０１４−９０９６５号公報
【特許文献３】実用新案登録第３２１４３７９号公報
【特許文献４】実用新案登録第３１４８７１２号公報
【考案の概要】
【考案が解決しようとする課題】
【０００８】  しかしながら、棺桶の開示はあるが、蓋板が取り付けられた棺についての開示は無い。そのため、蓋板と側板との接合に金具類等が用いられる可能性がある。棺桶の開示の構成は、棺桶の運搬保管の観点から想到された構成であって、有害物質の発生の抑制の観点から想到されたものでは無い。棺桶の強度を持たせる場合には、上記のように金具類等が用いられる可能性がある。【０００９】  一般に、棺桶の製造において金具類及び金釘を用いた場合、棺の燃焼において、焼却後に金属分が残存するし、また遺骨に有害物質が付着する。この有害物質の残存は、火葬場を管轄する役所又は火葬場の現場担当者にとって解決すべき重要な課題である。【００１０】遺体の運搬、および焼却で安定的強度を持たせ、また焼却後の処理でやさしい状態での棺桶として、可燃性材料を使用した棺桶である。これによって遺体焼却場の簡素化が可能になってくる。本考案の一態様は、上記の問題点に鑑みて為されたものであり、その目的は、棺桶の燃焼に伴う有害物質の発生を無くすることができる金具類及び金釘無し棺を実現させて、棺桶の強度を維持させることにある。
【課題を解決するための手段】
【００１１】  そこで、上記課題を解決する棺を提供すべく、本考案者は、鋭意研究の末、全ての構成要素が可燃性素材で形成された棺を想到するに至った。具体的には、本考案の一態様に係る金具類及び金釘無し棺桶は、可燃性素材で形成された複数の側板を可燃性の留め具を用いて互いに接合して壁面が構成され、全ての構成要素が可燃性素材より形成されている。【００１２】  縦長の底板と、前記底板の右方長辺に固定された右方長側板と、前記底板の左方長辺に固定された左方長側板と、前記底板の前方短辺に固定された前方短側板と、前記底板の後方短辺に固定された後方短側板とから構成される木製箱体と、前記木製箱体に被せる木製蓋板と底板下部の補強材とからなり、前記木製箱体における各側板の長手方向に穴部を設けて、底板と接合できるようにするとともに、各側板と底板と補助板とはそれぞれ接合には可燃性接合具を使用されている燃焼にやさしい棺桶である。【００１３】前記底板と、右方長側板と、左方長側板と、前方短側板と、後方短側板と、補強材との材料は、桐材、ファルカタ材、檜材、ヒバ材、フラッシュ構造材で選ばれた厚さ１５〜２５ｍｍの板材であって、各部品の接合には、各部品の小口面に切りこみ、並びに側板部、底部に溝を設けて、組み立て接合を行い、各部品の小口の周辺の各面に数個の穴部を設けて木製ダボ、竹釘によって固定されて、底板には２〜４箇所に補強板で構成される木製箱体になっている。【００１４】  前記蓋板は、木製箱体に嵌め込み型であって、桐材、ファルカタ材、檜材、ヒバ材、フラッシュ構造材で選ばれた厚さ１０〜２０ｍｍの板材であって、前記木製箱体の棺桶の内部を視認できるように、蓋板の片方一部に正方形、又は長方形形状の可燃性材料からなる窓部、あるいは開閉扉部を設けている。【００１５】前記木製箱体は、幅４００〜７００ｍｍ、長さ１５００〜２０００ｍｍ、高さ３００〜５００ｍｍの長方体であって、構成される右方側板と左方側板には、両横端の３〜５箇所に、長手方向一方の端の３〜５箇所に５〜９ｍｍの穴を掘り、前方側板と、後方側板と、補強材、底板の小口面に５〜９ｍｍの穴をあけ、接合面に木製ダボ、竹釘を嵌めこんで固定している。
【考案の効果】
【００１６】  本考案の一態様によれば、棺桶の燃焼に伴う金属残存物質の発生を抑制できる。特に、金具類及び金釘からの金属物質の残存を回避できるので、従来の棺に比べ、棺桶の燃焼における金属等の有害物質の残存を大幅に抑制できる。【００１７】  さらに、棺桶に金具類及び金釘を用いないため、火葬時間を短縮できる。これに伴い、遺族の待ち時間を短縮できるとともに、火葬処理の効率化を図れる。また棺桶の燃焼後に、金具類及び金釘の除去作業を行う必要が無く、金具類及び金釘の回収作業を行う必要がない。そのため、上記除去作業及び回収作業に対する担当者の負担が無くなり、火葬における担当者の手間を軽減できる。火葬場での焼却の合理化が可能であり、それに伴い人件費を削減できる。
【図面の簡単な説明】
【００１８】
【図１】燃焼にやさしい棺桶の外観を示す斜視図。
【図２】燃焼にやさしい棺桶における各部品の状態図  Ａ：長側板  Ｂ：短側板  Ｃ：底板  Ｄ：蓋板
【図３】底板と側板の接合箇所の接合態様を示す詳細図  Ａ：長側板と短側板  Ｂ：長側板と底板  Ｃ：短側板と底板
【図４】蓋板の表面の態様を示す図。Ａ：平面  Ｂ：側面
【図５】底板の補強の態様を示す状態図。Ａ：平面  Ｂ：斜視
【図６】底板からの棺の外観を示す斜視図。
【考案を実施するための形態】
【００１９】  以下、本考案の一実施形態について、詳細に説明する。なお、本明細書中において、「留め具」とは、可燃性を有する留め具を意味する。また留め具は、木ダボであっても良く、竹釘であっても良い。また、留め具の材質としては、可燃性素材であれば特に限定されず、ファルタカ材、桐材が使用される。
【００２０】  縦長の底板と、前記底板の右方長辺に固定された右方側板と、前記底板の左方長辺に固定された左方側板と、前記底板の前方短辺に固定された前方側板と、前記底板の後方短辺に固定された後方側板とから構成される木製箱体と、前記木製箱体に被せる木製蓋板と底板下部の補強材とからなり、前記木製箱体における各側板の長手方向に穴部を設けて、底板と接合できるようにするとともに、各側板と底板と補助板とはそれぞれ接合には可燃性接合具を使用されている燃焼にやさしい棺桶である。
【実施例１】
【００２１】図２に示すように前記底板と、右方長側板と、左方長側板と、前方短側板と、後方短側板と、補強材との材料は、ファルカタ材の厚さ２０ｍｍの板材であって、各部品の接合には、各部品の小口面に切りこみ、並びに側板部、底部に溝を設けて、組み立て接合を行い、各部品の小口の周辺の各面に数個の穴部を設けて木製ダボによって固定されて、底板には４箇所に補強板で構成される木製箱体であった。【００２２】  前記蓋板は、木製箱体に嵌め込み型であって、ファルカタ材厚さ２０ｍｍの板材であって、図４に示すように前記木製箱体の棺桶の内部を視認できるように、蓋板の片方一部に長方形形状の可燃性材料からなる開閉扉部を設けた。【００２３】前記木製箱体は、幅５２０ｍｍ、長さ１８４０ｍｍ、高さ４６０ｍｍの長方体であって、構成される右方長側板と左方長側板には、両横端の３箇所に、長手方向一方の端の５箇所に５〜９ｍｍの穴を掘り、前方長側板と、後方長側板と、補強材、底板の小口面に５〜９ｍｍの穴をあけ、接合面に木製ダボを嵌めこんで固定した。また図５、６に示すように底板を４本の補強材に強度を持たせた。【００２４】図１に示すように、棺桶に金具類及び金釘を用いないため、火葬時間を短縮でき、遺族の待ち時間を短縮できるとともに、火葬処理の効率化を図れる。また棺桶の燃焼後に、金具類の除去作業を行う必要が無く、金具類及び金釘の回収作業を行う必要がなく、上記除去作業及び回収作業に対する担当者の負担が無くなり、火葬における手間を軽減できた。
【実施例２】
【００２５】図１に示すように、棺桶の外観を示す斜視図である。棺桶は、長手方向の側面を構成する２枚の長側板、短手方向の側面を構成する２枚の短側板、底板及び蓋板を備えた。長側板及び短側板を接合することで図３にしめすようにダボによって構成された。【００２６】  長側板の２枚と、短側板２枚、底板及び蓋板のそれぞれの材質としては、桐材が使用された。また、長側板、短側板及び蓋板の外面においては、外観を向上させるための装飾が施した。【００２７】  棺桶の内部には、シートが設けられて、棺桶の内部にシートを位置決めした後、留め具が打ち込み孔に打ち込まれる。そのため、当該シートを金具類で棺の内部に長側板と短側板と底板を固定した。内部にはシートを設けるとき必要となる金具類による有害物質を使用せず、危険物の発生を回避できるようにした。上記シートとして遺体から出る液が棺から漏れないようにするための防水ビニール、または飾り布などが挙げられた。【００２８】  また、長側板２枚の下端部において、左右方向の一端から他端に向かって水平方向へ、底板を嵌合するための溝が形成された。底板には、留め具が打ち込まれる打ち込み孔が１０個の穴部を形成された。打ち込み孔は、長側板２枚と短側板２枚の厚さ方向に貫通するように形成された。【００２９】底板の、長手方向の側板上には、打ち込み孔が１０本でのダボで形成された。底板の、短手方向の短側板には、打ち込み孔が形成された。底板の長手方向の短側板に形成されている打ち込み孔へ留め具を水平方向に打ち込み、留め具が打ち込み孔から突出した状態において、溝に形成されている打ち込み孔へ該留め具が挿入されることにより、長側板と底板とが接合された。
【実施例３】
【００３０】図２に示すように前記底板と、右方長側板と、左方長側板と、前方短側板と、後方短側板と、補強材との材料は、桐材の厚さ２０ｍｍの板材であって、各部品の接合には、各部品の小口面に切りこみ、並びに側板部、底部に溝を設けて、組み立て接合を行い、各部品の小口の周辺の各面に数個の穴部を設けて木製ダボによって固定されて、底板には４箇所に補強板で構成される木製箱体であった。【００３１】  前記蓋板は、木製箱体に嵌め込み型であって、桐材の厚さ２０ｍｍの板材であって、図４に示すように前記木製箱体の棺桶の内部を視認できるように、蓋板の片方一部に長方形形状の可燃性材料からなる透明樹脂の窓部を設けた。【００３２】前記木製箱体は、幅５００ｍｍ、長さ１８００ｍｍ、高さ４５０ｍｍの長方体であって、構成される右方長側板と左方長側板には、両横端の３箇所に、長手方向一方の端の５箇所に５〜９ｍｍの穴を掘り、前方長側板と、後方長側板と、補強材、底板の小口面に５〜９ｍｍの穴をあけ、接合面に竹釘を嵌めこんで固定した。また図５、６に示すように底板を４本の補強材に強度を持たせた。【００３３】図１に示すように、棺桶に金具類及び金釘を用いないため、火葬時間を短縮でき、遺族の待ち時間を短縮できるとともに、火葬処理の効率化を図れる。また棺桶の燃焼後に、金具類の除去作業を行う必要が無く、金具類及び金釘の回収作業を行う必要がなく、上記除去作業及び回収作業に対する担当者の負担が無くなり、火葬における手間を軽減できた。
【符号の説明】
【００３４】１    棺桶
２    第１側板（長側板）
３    第２側板（短側板）
４    蓋板
５    底板
６    留め具
７    接合部
８    穴部
９    ダボ
１０  補強板
１１  開閉口
１２  スライド板
【図１】
0003216943.tif 000003
【図２】
0003216943.tif 000004
【図３】
0003216943.tif 000005
【図４】
0003216943.tif 000006
【図５】
0003216943.tif 000007
【図６】
0003216943.tif 000008